(57)【要約】【課題】  非常停止作動を確実に行うことができて信頼性が高く、スイッチ部の応答性が優れた非常停止用押釦スイッチを提供すること。【解決手段】  押釦体２５の軸部を中心に中筒３５と外筒５０を同心状に配置し、押釦体と中筒との間に押動用バネ４５を介装して該軸部の先端部を中筒に係合させて戻り止めを施し、その軸部と小径筒部との間に復帰バネ４６を介装し、復帰バネの弾発力により中筒のストッパー用突部を小径筒部の突起部に当接させて押釦体が後退位置に保持されるように設け、押釦体が押し込まれるときに、押釦体のカムにより外筒の爪片を外方に移動させて中筒を押動用バネの弾発力によって瞬間的に前進させることにより、中筒が前記突起部にて後戻りを阻止されて押釦体と一緒に前進端位置に保持され、これと同時に、中筒により可動部材を押圧し前進させることにより可動接点２１を固定接点１３から開離させる。【選択図】  図１
2005222850.tif 000002
【特許請求の範囲】
【請求項１】
中空状に形成された本体ケースの一端側の大径筒部に押釦体を同ケースの軸心方向に進退自在に設けると共に、複数の端子が配設された端子台をその他端側の小径筒部に着脱可能に設け、その本体ケースの大径筒部内に、その押釦体が後退した元位置にて複数の可動接点を夫々対応する固定接点に対してバネにより弾接させ、その押釦体が押し込まれてその前進端位置で保持された状態にて前記可動接点を固定接点から開離させるようにしたスイッチ部を設け、その固定接点から延びる固定端子片の先端部を前記端子台の端子に夫々圧接して導通可能に設け、さらに、前進端位置にて保持された前記押釦体を所定角度だけ回転させることにより同押釦体が復帰バネによって元の後退位置に復帰するように構成された非常停止用押釦スイッチにおいて、
前記押釦体の軸部を中心に、ストッパー用突部と径方向に弾性変形可能な係止片とが先端から順に軸方向外面に一体に形成された中筒と、径方向に弾性変形可能な爪片が内側に突出するように一体に形成された外筒を同心状に配置し、その押釦体の軸部と該中筒の内底部との間に押動用バネを介装すると共に当該内底部に形成した切欠溝に挿入された当該軸部の先端部を該中筒の係止片の背部に係合させて戻り止めを施し、かつ、その軸部の先端部と前記本体ケースの小径筒部との間に復帰バネを介装し、その復帰バネの弾発力により前記中筒のストッパー用突部を前記本体ケースの小径筒部の内側に形成された突起部に当接させることにより押釦体が後退位置に保持されるように設け、押釦体が押し込まれるときに、当該押釦体の軸部外面に形成された突条形状のカムにより前記外筒の爪片を外方に移動させて当該外筒との係合が解除された前記中筒を押動用バネの弾発力によって前進移動させることにより、その中筒は前記係止片が前記突起部を一旦乗り越えてから該突起部にて後戻りを阻止されて押釦体と一緒に前進端位置に保持され、これと同時に、当該中筒の後端部により可動接点が設けられた可動部材を押圧して前進移動させることにより当該可動接点を前記固定接点から開離させて前記スイッチ部をオフ状態とするように設け、他方、その前進端位置にて保持された押釦体を所定角度だけ回転させることにより、前記中筒の係止片と本体ケースの突起部との係合を解除させて押釦体と中筒とが復帰バネによって元の後退位置に復帰するように構成したことを特徴とする非常停止用押釦スイッチ。
【請求項２】
複数の係止部が内径側に形成されたリング部材を前記可動部材の後端部に固定し、前記押釦体が押し込まれるときに該可動部材は該リング部材を介して前記中筒の後端部により押圧されるように設けられ、前記中筒が押釦体と一緒に前進端位置に保持されている状態にて該リング部材の係止部は前記外筒の内側に形成された一対の突部を乗り越えた位置とされ、他方、押釦体と中筒とが後退位置に復帰するときに、リング部材の係止部が外筒の突部を同時に乗り越えることによって前記複数の可動接点を同時的に固定接点に弾接させるように構成したことを特徴とする請求項１に記載の非常停止用押釦スイッチ。
【請求項３】
前記押釦体が前進端位置で保持されている非常停止状態において当該押釦体の頭部周辺に損傷を生じた場合、前記中筒の外側面に形成された突部に前記可動部材の一部を当接させるように設けることにより、前記可動接点と固定接点とが開離したオフ状態をそのまま保持するように構成したことを特徴とする請求項１又は２に記載の非常停止用押釦スイッチ。
【発明の詳細な説明】
【技術分野】
【０００１】
本発明は、様々な自動機械やプレス装置等の安全運転のために電気回路に使用される非常停止用押釦スイッチの改良に関するものである。
【背景技術】
【０００２】
図１５に、従来の非常停止用押釦スイッチの一例を示す。この押釦スイッチＢは、押釦体ｆの軸杆ｇをプラスチック製本体ケースａの大径筒部ｂから挿入して同ケースの軸心方向に進退自在に設けると共に、押釦体ｆが押し込まれた前進位置にて、軸杆ｇの弾性変形可能な係止片ｈを小径筒部ｃの内方に設けた突部ｄに係合させることによりその位置を保持させ、かつ、押釦体ｆを一方向へ一定角度だけ回転させることにより係止片ｈの後端面が突部ｄから外れて、当該押釦体ｆを復帰バネｅによって元の後退位置に復帰させるように設けられている。
【０００３】
上記大径筒部ｂの内方には、押釦体ｆが後退した通常状態の位置にて、導電片ｎに設けられた一対の可動接点ｏを固定接点ｒに対して与圧バネｔにより夫々弾接させ、押釦体ｆが前進端まで押し込まれる非常停止状態の場合に、導電片ｎが前進移動して可動接点ｏを固定接点ｒから開離させるように構成されたスイッチ部ｍを設けている。また、その小径筒部ｃ側には、固定接点ｒから延びる固定端子片ｐの先端部に挿入されて導通する複数の端子ｋが配設された端子台ｊを着脱可能に設けている。
【０００４】
前記非常停止用押釦スイッチＢは、プレス装置等の機械の運転中に何らかの非常事態が発生した場合に、作業者が手で前記押釦体ｆを押すことにより運転を直ちに停止させる目的のために使用される電気部品である。ところが、非常事態が発生した場合に、作業者が手元のハンマーやスパナ等の工具で押釦体ｆを思いっきり叩いてしまうことがあるため、押釦体ｆを損傷したり破壊することがあった。例えば、図１６に示すように、そのような原因により押釦体ｆの軸杆ｇが破壊されたとすると、瞬間的にオフ状態となったスイッチ部ｍが、与圧バネｔの弾力により再びオン状態（回路は閉）となってしまうために、非常停止機能を発揮しなくなるという不都合を生ずる。
【０００５】
因みに、この種の非常停止用押釦スイッチについては、国際規格（ＩＥＣ６０９４７−５−５）において「機械的ラッチ機能付き電気的緊急停止装置」として規定されている。その内容の「ラッチ」の項目には、「緊急停止装置の作動中に緊急停止信号が出力された場合、緊急停止機能は、作動システムをラッチすることにより維持するものとする。緊急停止信号は、緊急停止装置がリセットされるまで維持するものとする。緊急停止装置が、緊急停止信号の出力なしにラッチされることはあってはならない。」と記載されている。
【特許文献１】特開平９−５０７３０号公報
【特許文献２】特開平５−９４７３２号
【特許文献３】特開２００２−５６７３５号
【特許文献４】特開２０００−１２３６８３号
【特許文献５】特開２００３−２２２６８４号
【特許文献６】特開２００３−２２２６８８号
【発明の開示】
【発明が解決しようとする課題】
【０００６】
本発明の目的は、非常停止作動を確実に行うことができて信頼性が高く、スイッチ部の応答性が優れた非常停止用押釦スイッチを提供することにある。
【課題を解決するための手段】
【０００７】
前記目的を達成するために請求項１に記載した発明は、中空状に形成された本体ケースの一端側の大径筒部に押釦体を同ケースの軸心方向に進退自在に設けると共に、複数の端子が配設された端子台をその他端側の小径筒部に着脱可能に設け、その本体ケースの大径筒部内に、その押釦体が後退した元位置にて複数の可動接点を夫々対応する固定接点に対してバネにより弾接させ、その押釦体が押し込まれてその前進端位置で保持された状態にて前記可動接点を固定接点から開離させるようにしたスイッチ部を設け、その固定接点から延びる固定端子片の先端部を前記端子台の端子に夫々圧接して導通可能に設け、さらに、前進端位置にて保持された前記押釦体を所定角度だけ回転させることにより同押釦体が復帰バネによって元の後退位置に復帰するように構成された非常停止用押釦スイッチにおいて、
前記押釦体の軸部を中心に、ストッパー用突部と径方向に弾性変形可能な係止片とが先端から順に軸方向外面に一体に形成された中筒と、径方向に弾性変形可能な爪片が内側に突出するように一体に形成された外筒を同心状に配置し、その押釦体の軸部と該中筒の内底部との間に押動用バネを介装すると共に当該内底部に形成した切欠溝に挿入された当該軸部の先端部を該中筒の係止片の背部に係合させて戻り止めを施し、かつ、その軸部の先端部と前記本体ケースの小径筒部との間に復帰バネを介装し、その復帰バネの弾発力により前記中筒のストッパー用突部を前記本体ケースの小径筒部の内側に形成された突起部に当接させることにより押釦体が後退位置に保持されるように設け、押釦体が押し込まれるときに、当該押釦体の軸部外面に形成された突条形状のカムにより前記外筒の爪片を外方に移動させて当該外筒との係合が解除された前記中筒を押動用バネの弾発力によって前進移動させることにより、その中筒は前記係止片が前記突起部を一旦乗り越えてから該突起部にて後戻りを阻止されて押釦体と一緒に前進端位置に保持され、これと同時に、当該中筒の後端部により可動接点が設けられた可動部材を押圧して前進移動させることにより当該可動接点を前記固定接点から開離させて前記スイッチ部をオフ状態とするように設け、他方、その前進端位置にて保持された押釦体を所定角度だけ回転させることにより、前記中筒の係止片と本体ケースの突起部との係合を解除させて押釦体と中筒とが復帰バネによって元の後退位置に復帰するように構成したことを特徴とする。
【０００８】
同様の目的を達成するために請求項２に記載した発明は、請求項１に記載の非常停止用押釦スイッチにおいて、複数の係止部が内側に形成されたリング部材を前記可動部材の後端部に固定し、前記押釦体が押し込まれるときに該可動部材は該リング部材を介して前記中筒の後端部により押圧されるように設けられ、その中筒が押釦体と一緒に前進端位置に保持されている状態にて該リング部材の係止部は前記外筒の内側に形成された一対の突部を乗り越えた位置とされ、他方、押釦体と中筒とが後退位置に復帰するときに、前記リング部材の係止部が外筒の突部を同時に乗り越えることによって前記複数の可動接点を同時的に固定接点に弾接させるように構成したことを特徴とする。
【０００９】
同様の目的を達成するために請求項３に記載した発明は、請求項１又は２に記載の非常停止用押釦スイッチにおいて、前記押釦体が前進端位置で保持されている非常停止状態において当該押釦体の頭部周辺に損傷を生じた場合、前記中筒の外側面に形成された突部に前記可動部材の一部を当接させるように設けることにより、前記可動接点と固定接点とが開離したオフ状態をそのまま保持するように構成したことを特徴とするものである。
【発明の効果】
【００１０】
（請求項１の発明）
この非常停止用押釦スイッチは、押釦体と連動する中筒を押動用バネの弾発力によって一挙に前進移動させて可動接点を固定接点から瞬間的に開離させるように構成しているので、スイッチ部のオフ状態への応答性が良好であって非常停止作動を確実に行うことができ、信頼性及び安全性に優れている。
【００１１】
（請求項２の発明）
この非常停止用押釦スイッチは、非常停止状態を解除させるときに、リング部材の係止部が外筒の突部を同時に乗り越えることによって複数の可動接点を同時的に固定接点に弾接させるように構成しているので、スイッチ部のオン状態への応答性が極めて良好である。
【００１２】
（請求項３の発明）
この非常停止用押釦スイッチは、押釦体の頭部周辺に損傷を生じた場合においてもスイッチ部をオフ状態に確実に保持することができる構成としているので、信頼性及び安全性に優れている。
【発明を実施するための最良の形態】
【００１３】
以下に、本発明の最良の形態例を図面に基づいて説明する。図１はスイッチ部の接点が「閉」とされた通常状態における非常停止用押釦スイッチの要部を縦断して示す側面図、図２は本体ケースにおける接点の配置を示す説明図、図３は可動部材の平面図、図４は可動部材の一部を破断して示す側面図、図５は押釦体の正面図、図６は中筒の縦断側面図、図７は外筒の平面図、図８は外筒の縦断側面図、図９はリング部材の平面図、図１０は押釦体が後退端位置で保持されてスイッチ部の接点が「閉」とされた通常状態を示す要部の模式図、図１１は押釦体が前進端位置で保持されてスイッチ部の接点が「開」とされた非常停止状態を示す要部の模式図、図１２は押釦体が前進端位置で保持された状態におけるリング部材の係止部と外筒の突部との位置関係を説明する模式図、図１３は押釦体が前進端位置から少し後退した瞬間の位置におけるリング部材の係止部と外筒の突部との位置関係を説明する模式図、図１４は押釦体の頭部が破損した場合において、スイッチ部がオフ状態に保持されることを説明する模式図である。
【００１４】
図１において、Ａは本発明の非常停止用押釦スイッチである。この押釦スイッチＡのプラスチック製本体ケース１は中空状に形成されていて、一端側の大径筒部２の内側面２ａに複数のリブ（図示せず）を縦向きに所定間隔を置いて設け、他端側の小径筒部５の外面にネジ６を形成すると共にその内面５ａに一対の突起部７を対向状に一体に形成している。それらの突起部７は、図１０に示すように、大径筒部２側を傾斜面７ａとし頂面７ｂを経てから前記内面５ａと直交する方向に奥端面７ｃを設けた形態とされ、後記中筒３５のストッパー用突部３８及び係止片３９と関係してラッチ機構の構成要素をなしている。８は小径筒部５の先端寄りの内方に嵌着されたバネ受け部材、９は小径筒部５のネジ６に螺合された取付用ナットである。
【００１５】
その大径筒部２の内部には、スイッチ部Ｓを構成する固定接点１３が底部２ｂに向けて設けられた左右一対の固定端子片１１を複数、ここでは３箇所にほぼ等角度間隔に前記リブの端面に沿わせて配置すると共に、各々の固定端子片１１の先端部を小径筒部５の内面に沿うように設けている。
【００１６】
１５は縦長のブロック形状とされたプラスチック製の可動部材である。図３、図４に示すように、この可動部材１５には、上面１５ａに係止用ピン１６と、背面１５ｂの下部両側に突出する係止部１７，１７と、下面から一定深さのバネ挿入穴１８とが設けられている。その可動部材１５のほぼ中間位置には、左右一対の可動接点２１，２１が前記固定接点１３，１３の間隔に合わせて設けられた導電板２０を交差状に固定している。その可動部材１５は、図２に示すように、一対の固定端子片１１，１１の間に、即ち、３箇所に夫々配置されていて、大径筒部２の底部２ｂとバネ挿入穴１８との間に介装されたバネ２２により複数の可動接点２１を夫々対応する固定接点１３に対して弾接させる方向に付勢するように設けられている。
【００１７】
２５は本体ケース１の軸心方向に進退自在とされるプラスチック製の押釦体である。図５に示すように、この押釦体２５は傘型頭部２６の中心部に軸部２７を一体に形成し、その頭部２６を大径筒部２の外面に遊嵌するように設けられている。その軸部２７には、頭部２６寄りの外面の２箇所に１８０度の角度間隔を置いて突条形状のカム２８を軸心方向に形成すると共に先端からほぼ中間位置までの深さの中心穴３０を形成している。２９は軸部２７の先端寄りに形成された拡径部である。
【００１８】
この押釦体２５の軸部２７の周囲には、当該軸部２７を中心として、中筒３５と外筒５０とが同心状に配置されている。
図６に示すように、プラスチック製の中筒３５は円筒部３６の一端にフランジ３７が形成されていて、ラッチ機構の構成要素であるストッパー用突部３８と径方向に弾性変形可能な係止片３９とが円筒部３６の他端（先端）から順に軸方向外面の２箇所に１８０度の角度間隔を置いて一体に形成されている。その円筒部３６には、先端寄りに内底部３６ａを形成すると共に該内底部３６ａの２箇所に円弧形の切欠溝４０を形成している。４１は円筒部３６の中間位置に形成された開口部であり、４２はその開口部４１の下縁位置で外面に形成された突部である。
【００１９】
押釦体２５は、その中心穴３０の奥底部と中筒３６の内底部３６ａとの間に所定の弾発力が発生するように設定された押動用バネ４５を介装し、中筒３５の切欠溝４０に挿入された軸部２７の拡径部２９を当該中筒３５の係止片３９の背部３９ａに係合させることにより軸部２７の戻り止めを施されている。また、その拡径部２９と前記本体ケース１のバネ受け部材８との間には、復帰バネ４６を介装している。
【００２０】
しかして、押釦体２５は、図１０に示すように、復帰バネ４６の弾発力により中筒３５のストッパー用突部３８の後端面３８ａを本体ケース１の突起部７の奥端面７ｃに当接させることにより通常状態の後退位置に保持されるように設けられている。
【００２１】
図７、図８に示すように、プラスチック製の外筒５０は、円筒部５１の下端外周面に等角度間隔に３個の固定用突起５２を形成し、当該円筒部５１から上方に延びる細幅形状の４つの立ち上がり片５３を形成すると共に対向する２つの立ち上がり片５３の内側に突部５４を夫々形成している。また、円筒部５１のほぼ中間位置には、径方向に弾性変形可能な爪片５５を内側に突出するように一体に形成している。
【００２２】
この外筒５０は、図１０に示すように、固定用突起５２の下面を前記大径筒部２の底部２ｂに当てがわれて当該突起５２の側面を前記大径筒部２のリブの間に嵌合されると共に、上記爪片５５の先端が中筒３５の開口部４１に臨むように設けられている。
【００２３】
５７はリング板５８にほぼ等角度間隔に３個の嵌合穴５９が穿設されたリング部材である。図９に示すように、そのリング板５８の内径側には、１８０度の角度間隔を置いて設けた環状片６０の内側面に係止部６１が形成されている。このリング部材５７は、前記可動部材１５の係止用ピン１６に嵌合穴５９を夫々嵌着することにより、可動部材１５に一体的に取り付けられている。
【００２４】
可動部材１５は、図１１に示すように、押釦体２５が押し込まれるときに、リング部材５７を介して前記中筒３５のフランジ３７にて押圧されるように設けられている。また、リング部材５７の係止部６１については、図１２に示すように、中筒３５が押釦体２５と一緒に前進端位置に保持されている状態にて外筒５０の突部５４を乗り越えた位置とされ、他方、押釦体２５と中筒３５とが後退位置に復帰するときに、その複数の係止部６１が突部５４を同時に乗り越えることによって複数の可動接点２１を同時的に固定接点１３に弾接させるように構成されている。かかる突部５４と係止部６１との関係は、ラッチ機構を構成している。
【００２５】
しかして、スイッチ部Ｓについては、押釦体２５が後退した通常状態の元位置にて、可動接点２１を固定接点１３に対してバネ２２により弾接させるようにし（図１、図１０）、他方、押釦体２５が前進端位置まで押し込まれた非常停止の状態では、図１１に示すように、中筒３５のフランジ３７によって可動部材１５を下降させることにより可動接点２１を固定接点１３から開離させるように構成されている。
【００２６】
また、押釦体２５は、図１１に示す中筒３５の係止片３９の後端面３９ｂが本体ケース１の突起部７の奥端面７ｃに当接することにより前進端位置で保持され、その保持された状態において当該押釦体２５を一定角度だけ右方向に回転操作させることにより、前記係止片３９が突起部７から外れて復帰バネ４６の弾発力によって元の後退位置に復帰するように設けられている。
【００２７】
７０は複数の端子（図示せず）が適宜配設されたプラスチック製端子台である。この端子台７０は、本体ケース１の小径筒部５に挿入することにより固定されるように設けられている。この端子台７０を本体ケース１に取り付けた状態では、スイッチ部Ｓの固定端子片１１の先端部がバネ性を有する接触片（図示せず）に挿入されるように設けられていて、両者は圧接された状態にて通電可能とされる公知の構成とされている。
【００２８】
以上により、押釦体２５と連動する中筒３５を押動用バネ４５自身の弾発力によって一挙に前進移動させて可動接点２１を固定接点１３から瞬間的に開離させる非常停止用押釦スイッチＡが構成される。
【００２９】
つぎに、本発明の非常停止用押釦スイッチＡの作動及び操作について、図面に基づき説明する。
（１）図１、図１０に示すように、押釦スイッチＡの押釦体２５は、復帰バネ４６の弾発力により中筒３５のストッパー用突部３８の後端面３８ａを本体ケース１の突起部７の奥端面７ｃに当接させることにより通常状態の後退位置に保持される。この通常状態においては、複数の固定接点１３に対して夫々対応する可動接点２１がバネ２２の弾発力により接触しているので、スイッチ部Ｓの接点は「閉」の状態（オン状態）に保持される。
（２）非常停止時に押釦体２５が押し込まれるときには、カム２８によって爪片５５を外方に押し拡げることにより中筒３５と外筒５０との係合が解除される。この瞬間に、中筒３５は押動用バネ４５自身の弾発力によって一挙に前進移動し、中筒３５の係止片３９が本体ケース１の突起部７の傾斜面７ａを乗り越えて当該係止片３９の後端面３９ａが突起部７の奥端面７ｃに当接し（ラッチ作用）、押釦体２５及び中筒３５は前進端位置にて保持される（図１１）。
（３）可動部材１５は、図１１に示すように、押釦体２５が押し込まれるときにリング部材５７を介して中筒３５のフランジ３７により押圧されて下降する。これにより、可動接点２１が固定接点１３から開離するので、スイッチ部Ｓの接点は「開」の状態（オフ状態）となる。また、中筒３５が押釦体２５と一緒に前進端位置に保持されている状態において、リング部材５７の係止部６１は、図１２に示すように、外筒５０の突部５４を乗り越えた位置に前進移動する（ラッチ作用）。
（４）（３）の前進端位置に保持された非常停止状態において、押釦体２５を右方向に回転操作させることにより、中筒３５の係止片３９が本体ケース１の突起部７から外れるので、押釦体２５及び中筒３５は復帰バネ４６の弾発力によって元の後退位置に復帰する。
【００３０】
（５）（４）の押釦体２５と中筒３５とが後退位置に復帰する際には、可動部材１５が中筒３５のフランジ３７による押圧を解除され、かつ、リング部材５７の複数の係止部６１が外筒５０の突部５４を同時に乗り越えることによって可動接点２１をバネ２２の弾発力により固定接点１３に対して瞬間的に接触させるので、スイッチ部Ｓの接点は再び「閉」の状態に保持される。
【００３１】
因みに、本発明の非常停止用押釦スイッチＡにおける複数の接点を閉じるときの応答性については、５（ｍｓ）であり、従来の押釦スイッチの応答性：３０（ｍｓ）に比較すれば著しく性能が高いということが実験により確認された。
【００３２】
また、押釦スイッチＡが非常停止の状態において、図１４に示すように、仮に、押釦体２５の頭部２６がハンマー等の工具で叩かれるなどにより破損を生じたときには、中筒３５の突部４２に可動部材１５の係止部１７が当接することにより、一旦オフ状態となったスイッチ部Ｓが再びオン状態となることはなく、確実にオフ状態を保持することができる構造とされている。
【００３３】
以上に述べた通り、この非常停止用押釦スイッチは、押釦体と連動する中筒を押動用バネの弾発力によって一挙に前進移動させて可動接点を固定接点から瞬間的に開離させるように構成しているので、スイッチ部のオフ状態への応答性が良好であって非常停止作動を確実に行うことができ、信頼性及び安全性に優れている。加えて、非常停止の状態において押釦体の頭部に破損を生じたときにおいても、スイッチ部を確実にオフ状態を保持することができる利点がある。
【図面の簡単な説明】
【００３４】
【図１】スイッチ部の接点が「閉」とされた通常状態における本発明の非常停止用押釦スイッチの要部を縦断して示す側面図
【図２】本体ケースにおける接点の配置を示す説明図
【図３】可動部材の平面図
【図４】可動部材の一部を破断して示す側面図
【図５】押釦体の正面図
【図６】中筒の縦断側面図
【図７】外筒の平面図
【図８】外筒の縦断側面図
【図９】リング部材の平面図
【図１０】押釦体が後退端位置で保持されてスイッチ部の接点が「閉」とされた通常状態を示す要部の模式図
【図１１】押釦体が前進端位置で保持されてスイッチ部の接点が「開」とされた非常停止状態を示す要部の模式図
【図１２】押釦体が前進端位置で保持された状態におけるリング部材の係止部と外筒の突部との位置関係を説明する模式図
【図１３】押釦体が前進端位置から少し後退した瞬間の位置におけるリング部材の係止部と外筒の突部との位置関係を説明する模式図
【図１４】押釦体の頭部が破損した場合において、スイッチ部がオフ状態に保持されることを説明する模式図
【図１５】従来の非常停止用押釦スイッチの縦断側面図
【図１６】押釦体が前進位置まで押し込まれた非常停止状態において、軸杆が破断したときにスイッチ部がオフ状態からオン状態となることを示す従来の非常停止用押釦スイッチの説明図
【符号の説明】
【００３５】
Ａ・・・非常停止用押釦スイッチ
Ｓ・・・スイッチ部
１・・・本体ケース
２・・・大径筒部
５・・・小径筒部
１１・・・固定端子片  １３・・・固定接点
１５・・・可動部材  １７・・・係止部
２１・・・可動接点  ２２・・・バネ
２５・・・押釦体
２７・・・軸部
２８・・・カム
３５・・・中筒
３６ａ・・・内底部
３８・・・ストッパー用突部
３９・・・係止片  ３９ａ・・・背部
４０・・・切欠溝  ４２・・・突部
４５・・・押動用バネ
４６・・・復帰バネ
５０・・・外筒
５４・・・突部  ５５・・・爪片
５７・・・リング部材  ６１・・・係止部
７０・・・端子台
【図１】
2005222850.tif 000003
【図２】
2005222850.tif 000004
【図３】
2005222850.tif 000005
【図４】
2005222850.tif 000006
【図５】
2005222850.tif 000007
【図６】
2005222850.tif 000008
【図７】
2005222850.tif 000009
【図８】
2005222850.tif 000010
【図９】
2005222850.tif 000011
【図１０】
2005222850.tif 000012
【図１１】
2005222850.tif 000013
【図１２】
2005222850.tif 000014
【図１３】
2005222850.tif 000015
【図１４】
2005222850.tif 000016
【図１５】
2005222850.tif 000017
【図１６】
2005222850.tif 000018